(57)【要約】【課題】２つの排水管接続口を接近させても、止水材を排水管の外周面に密接させるために押し輪を押圧するボルト及びナットのレンチによる締付け操作が容易にできる。【解決手段】略筒状の鋳鉄製集合排水装置本体１は両端に上流口と下流口とを形成しかつ側面に２つの排水管接続口８，９を形成するとともに上面に掃除口12を開口する。集合排水装置本体１の排水管接続口８，９の周縁に配設した２つの環状の止水材17，18を排水管接続口８，９の周縁に圧接する２つの押し輪21，22は、集合排水装置本体１の排水管接続口８，９の周縁に各２組のボルト28a，28b，29a，29bとナット30a，30b，31a，31bにて締付ける。ボルトおよびナットの各１組は各排水管接続口８，９の中心から対称位置で、隣合う各排水管接続口８，９側に近い方の１組のボルト28a，29aは各排水管接続口８，９の上半分位置に配設する。【選択図】図１
2008038482.tif 000002
【特許請求の範囲】
【請求項１】
一端に上流口と他端に下流口とを形成しかつ側面に２つの排水管接続口を形成するとともに上面に掃除口を開口した略筒状の鋳鉄製集合排水装置本体と、
この集合排水装置本体の２つの排水管接続口の周縁にそれぞれ配設される２つの環状の止水材と、
この両止水材を排水管接続口の周縁にそれぞれ押圧してこの止水材の内周縁をこの排水管接続口に挿入された排水管の外周面に圧接する２つの押し輪と、
この２つの押し輪をそれぞれ前記集合排水装置本体の２つの排水管接続口の周縁に締付ける各２組のボルトおよびナットと
を備え、
この各２組のボルトおよびナットの各１組は前記集合排水装置本体の各排水管接続口の中心から対称位置にそれぞれ配設され、かつ前記隣合う各排水管接続口側に近い方の１組のボルトおよびナットはこの各排水管接続口の上半分位置に配設する
ことを特徴とする集合排水装置。
【請求項２】
集合排水装置本体の掃除口を閉塞する掃除口蓋の掃除口閉塞用締め付け具の上面は、掃除口蓋の上面位置と略同一面又は掃除口蓋の上面位置より低い位置に位置することを特徴とする請求項１記載の集合排水装置。
【発明の詳細な説明】
【技術分野】
【０００１】
本発明は、複数の排水設備からの排水を集中させて排水縦管に流出させる中高層住宅等に使用される集合排水装置に関する。
【背景技術】
【０００２】
従来、中高層住宅等においては、風呂場、トイレットルームなどの各排水設備からの排水は集合排水装置にて集中させ、この集中排水装置から排水縦管に排水する方式が採られている。
【０００３】
そして、この種の集合排水装置は、消防法規などによって耐火性能が要求されるため、この集合排水装置の略筒状の集合排水装置本体は鋳鉄にて成形されるのが一般的である。
【０００４】
しかしながら、集合排水装置本体が鋳鉄にて成形されていると、集合排水装置本体の排水管接続口に排水管を接続する場合、排水管を接着剤で排水管接続口に接着することができない。
【０００５】
そこで、鋳鉄にて成形した集合排水装置本体を用いた集合排水装置は、集合排水装置本体の排水管接続口の周縁に形成したフランジ部にゴムパッキンなどの環状の止水材を押し輪にて押し付け、この止水材の内周面を内側に膨出させて排水管接続口に挿通した排水管の外周面に圧着して集合排水装置本体の排水管接続口に排水管を水密に接続する構成が採られている。
【０００６】
そして、この集合排水装置本体のフランジ部とこのフランジ部に環状の止水材を押し付ける押し輪とに、排水管接続口の中心を通る対称の水平位置にボルトを挿通するボルト挿通孔が形成され、このボルト挿通孔にボルトを挿通してボルトにナットを螺合して締付けることによりに押し輪をフランジ部に押圧するようにしている（特許文献１及び２）。
【０００７】
この集合排水装置本体の側面に２つの排水管接続口を形成した集合排水装置において、この集合排水装置を小形にして配設スペースを小さくできるように、２つの排水管接続口を接近させることが考えられるが、この２つの排水管接続口を互いに接近して形成した構成では、排水管接続口の中心を通る対称の水平位置にボルトを挿通するボルト挿通孔が形成されていると、ボルトにナットを締付け操作するレンチが隣接する排水管接続口に接続した排水管に接触し、ボルトにナットを締付け難くなり、作業性が悪い問題が生じる。
【特許文献１】特開２００１−６５０１９号公報
【特許文献２】特開２００２−１４６８７２号公報
【発明の開示】
【発明が解決しようとする課題】
【０００８】
本発明の解決しようとする問題点は、上記集合排水装置本体の側面に２つの排水管接続口を形成した集合排水装置において、２つの排水管接続口を接近させることにより集合排水装置を小形にして配設スペースを小さくすることにより、ボルトにナットを締付け操作するレンチの操作がし難くなり、作業性が悪くなることである。
【０００９】
本発明は上記問題点に鑑みなされたもので、２つの排水管接続口を互いに接近させて集合排水装置本体の配設スペースを小さくでき、止水材を排水管の外周面に密接させるために押し輪を押圧するボルト及びナットのレンチによる締付け操作が容易にできる集合排水装置を提供するものである。
【課題を解決するための手段】
【００１０】
本発明の集合排水装置は、一端に上流口と他端に下流口とを形成しかつ側面に２つの排水管接続口を形成するとともに上面に掃除口を開口した略筒状の鋳鉄製集合排水装置本体と、この集合排水装置本体の２つの排水管接続口の周縁にそれぞれ配設される２つの環状の止水材と、この両止水材を排水管接続口の周縁にそれぞれ押圧して止水材の内周縁をこの排水管接続口に挿入された排水管の外周面に圧接する２つの押し輪と、この２つの押し輪をそれぞれ前記集合排水装置本体の２つの排水管接続口の周縁に締付ける各２組のボルトおよびナットとを備え、この各２組のボルトおよびナットの各１組は前記集合排水装置本体の各排水管接続口の中心から対称位置にそれぞれ配設され、かつ前記隣合う各排水管接続口側に近い方の１組のボルトおよびナットはこの各排水管接続口の上半分位置に配設するものである。
【００１１】
また、本発明の集合排水装置は、集合排水装置本体の掃除口を閉塞する掃除口蓋の掃除口閉塞用締め付け具の上面は、掃除口蓋の上面位置と略同一面又は掃除口蓋の上面位置より低い位置に位置するものである。
【発明の効果】
【００１２】
本発明の集合排水装置は、集合排水装置本体の隣接した排水管接続口を接近して形成して集合排水装置本体をコンパクトにして集合排水装置本体の配設スペースを少なくできるとともに、隣接した排水管接続口にそれぞれ止水材を押圧するために押し輪を排水管接続に圧接するボルトにナットを締め付ける操作が容易にできる。
【００１３】
また、掃除口蓋の掃除口閉塞用締め付け具の上面は、掃除口蓋の上面位置と略同一面又は掃除口蓋の上面位置より低い位置に位置するため、集合排水装置本体の高さを低くできることによりコンパクトにでき、集合排水装置を配設する床下の高さを低くすることもできる。
【発明を実施するための最良の形態】
【００１４】
次に、本発明の一実施の形態を図１乃至５に基いて説明する。
【００１５】
集合排水装置の集合排水装置本体１は鋳鉄にて略筒状に成形され、この集合排水装置本体１の一端に開口した上流口２が形成されるとともに他端に開口した下流口３が形成されている。図２に示すようにこの上流口２の中心は集合排水装置本体１の流水路の中心より上方に偏倚しており、また、下流口３の中心は集合排水装置本体１の流水路の中心より下方に偏倚している。さらにこの上流口２と下流口３との周縁には環状のフランジ部４，５が形成され、このフランジ部４，５の内側に隣接して集合排水装置本体１の取り付け支持部６，７が形成されている。
【００１６】
また、この集合排水装置本体１の側面に開口した２つの排水管接続口８，９が形成され、この２つの排水管接続口８，９の周縁には環状のフランジ部10，11が形成され、さらに、この集合排水装置本体１の上面には軸方向に長い１つの掃除口12が開口され、この掃除口12にはこの掃除口12を開閉自在に閉塞する掃除口蓋13が設けられている。さらに、この集合排水装置本体１の上流側の底部には支持脚部14が一体に突設されている。
【００１７】
この集合排水装置本体１の上流口２、下流口３及び２つの排水管接続口８，９の周縁にそれぞれゴムパッキンなどの環状の止水材15，16，17，18を押圧する押し輪19，20，21，22が設けられている。
【００１８】
さらに、集合排水装置本体１の上流口２の周縁フランジ部４と押し輪19とには上流口２の中心から対称位置にボルト23，23を挿通する挿通孔が形成されている。そして、図５に示すように、このボルト23，23を挿通する挿通孔は上流口２の中心を通る垂直線より３０°乃至６０°傾斜した上流口２の中心を通る直線上の位置に形成されている。
【００１９】
また、集合排水装置本体１の下流口３の周縁フランジ部５と押し輪20とにはボルト25，25，25を挿通する挿通孔が形成されている。そして、図４に示すように、このボルト25，25，25を挿通する挿通孔は下流口３の中心を通る垂直線の上部位置とこの位置より１２０°傾斜した下流口３の中心を通る直線上の位置に形成されている。
【００２０】
そして、このボルト23，23及びボルト25，25，25にはナット26，26，27，27，27がそれぞれ螺合されるようになっている。
【００２１】
次に、前記排水管接続口８，９に接続した接続管の外周面にそれぞれゴムパッキンなどの環状の止水材17，18の内周縁が膨出して密着するように、止水材17，18を集合排水装置本体１の周縁フランジ部10，11に押圧する押し輪21，22と、集合排水装置本体１の周縁フランジ部10，11とは各２組のボルト28a，28b，29a，29bおよびこのボルト28a，28b，29a，29bにそれぞれ螺合されるナット30a，30b，31a，31bとにて締付けられる。この各２組のボルト28a，28b，29a，29bおよびナット30a，30b，31a，31bの各１組は前記集合排水装置本体１の各排水管接続口８，９の中心から対称位置にそれぞれ配設され、かつ前記隣合う各排水管接続口側に近い方の１組のボルト28a，29aおよびナット30a，31aはこの各排水管接続口８，９の上半分位置に配設するものである。
【００２２】
そして、この排水管接続口８，９の周縁フランジ部10，11と押し輪21，22とに形成するボルト28a，28b，29a，29bの挿通孔はこの排水管接続口８，９の中心を通る垂直線より０°から９０°より少ない角度、好ましくは３０°乃至６０°に傾斜した排水管接続口８，９の中心を通る直線上の位置に形成されている。
【００２３】
次に、前記集合排水装置本体１の掃除口12を閉塞する掃除口蓋13は掃除口12の周縁に嵌合される嵌合縁32が形成され、この掃除口蓋13の対角線位置にこの掃除口蓋13の上面より低い位置に固定部33，33が形成され、この固定部33，33に掃除口蓋13を集合排水装置本体１の上面に固定する掃除口閉塞用締め付け具、例えばボルトのようなねじ部材34，34を挿通する挿通孔がそれぞれ形成され、この掃除口蓋13は集合排水装置本体１の固定部33，33の上面に螺合されるねじ部材34，34にて開閉自在に取り付けられて掃除口12を閉塞する。
【００２４】
この掃除口蓋13が掃除口12を閉塞した状態時に、ねじ部材34，34の上面位置は集合排水装置本体１の掃除口12を閉塞した掃除口蓋13の上面と略同一面又は掃除口蓋13の上面位置より低い位置に位置するように、固定部33，33の高さ位置が設定され、または、ねじ部材34，34の係合頭部の厚み高さが形成されている。
【００２５】
なお、前記ねじ部材34を過不足なく締め付けた状態で掃除口蓋13の上面とねじ部材34，34の係合頭部の上面とが同一面となるように固定部33，33の高さ位置、または、ねじ部材34，34の係合頭部の厚み高さなどを設定することにより、ねじ部材34，34の締め付け量の基準とすることができる。
【００２６】
また、前記集合排水装置本体１の上流口２及び排水管接続口８，９の内端部には、この上流口２と排水管接続口８，９に挿入接続した排水管の位置決めストッパー部35，36がそれぞれ上流口２及び排水管接続口８，９の上半部に形成されている。この排水管の位置決めストッパー部35，36がそれぞれ上半部に形成されているため、鋳鉄で成形された集合排水装置本体１の上流口２と排水管接続口８，９の内周面にバリが発生して排水管を上流口２と排水管接続口８，９の内端部まで挿入できない場合でも、下半部には位置決めストッパー部35，36が存在しないため、位置決めストッパー部35，36に排水が溜まることがない。
【００２７】
さらに、前記掃除口蓋13の内面には掃除口12の周縁に当接するパッキン37を嵌合する装着溝38が形成され、この装着溝38にパッキン37を嵌着することにより、パッキン37の位置にずれが生じることがなく、さらに、このパッキン37を接着剤にて装着溝38内に接着することによりパッキン37の脱落を防止でき、掃除口蓋13の取り付けが容易にかつ確実にでき、掃除口12を確実に閉塞できる。
【００２８】
さらに、前記支持脚部14の底面と下流口３のフランジ部５の底面には振動防止用の弾性材39，39aが設けられている。
【００２９】
また、支持具40について説明する。この支持具40は外周に雄ねじを形成した左右一対の支柱部41が台座部42に突設されている。この台座部42の底面には振動防止用の弾性板43が設けられている。
【００３０】
また、半円状に湾曲した支持板44，45の両端部に取り付け基部46，46がそれぞれ水平状に形成され、この支持板44，45の両端取り付け基部46，46を重ね合わせて集合排水装置本体１を挟着する円形状の挟着部を形成し、この挟着部にて集合排水装置本体１の取り付け支持部６，７をそれぞれ挟着し、この取り付け基部46，46に前記支柱部41をそれぞれ挿通し、この重ね合わせた支持板44，45の両端部の取り付け基部46，46を支柱部41に螺合したナット47，47にて挟着し、ナット47，47の螺合位置を調整して集合排水装置本体１の取り付け高さ位置を調整しながら集合排水装置本体１を固定する。
【００３１】
そして、図５に示すとおり、支柱部41に螺合するナット47，47と集合排水装置本体１の上流口２の周縁フランジ部４と押し輪19とに挿通されるボルト23，23とが干渉しないように、このボルト23，23を挿通する挿通孔は上流口２の中心を通る垂直線より３０°乃至６０°傾斜した上流口２を通る直線上の位置に形成されている。
【００３２】
また、図４に示すとおり、支柱部41に螺合するナット47，47と集合排水装置本体１の下流口３の周縁フランジ部５と押し輪20とに挿通されるボルト25，25，25とが干渉しないように、このボルト25，25，25を挿通する挿通孔は下流口３の中心を通る垂直線の上部位置とこの位置より１２０°傾斜した下流口３の中心を通る直線上の位置に形成されている。
【００３３】
次に、この実施の形態の作用を説明する。
【００３４】
例えば、中高層集合住宅などの各階の床下部に集合排水装置本体１を設置し、この集合排水装置本体１の上流口２に排水設備に接続された上流側排水管を接続するとともに、下流口３に排水縦管に接続されている下流側排水管を接続する。また、集合排水装置本体１の側面に開口した２つの排水管接続口８，９に排水設備に接続された排水管を接続する。
【００３５】
半円状に湾曲した支持板44，45の両端部の取り付け基部46，46を重ね合わせて形成される円形状の挟着部で集合排水装置本体１の取り付け支持部６，７をそれぞれ挟着し、この支持板44，45の取り付け基部46，46にそれぞれ挿通した支柱部41に螺合されているナット47，47の締付け位置を調節し、集合排水装置本体１の取り付け高さ位置を調整し、この状態でナット47，47を締付け、集合排水装置本体１の上流口２側と下流口３側を支柱部41に固定支持する。
【００３６】
そして、集合排水装置本体１の上流口２、下流口３及び側方の排水管接続口８，９にそれぞれ接続する排水管は、押し輪19，20，21，22および止水材15，16，17，18の中空部から上流口２、下流口３及び側方の排水管接続口８，９に挿入し、上流口２及び排水管接続口８，９に接続する排水管は位置決めストッパー部35，36に当接するまで挿入し、集合排水装置本体１のフランジ部４，５，10，11のボルト挿通孔から押し輪19，20，21，22のボルト挿通孔に挿通したボルト23，23，25，25，25，28a，28b，29a，29bに螺合したナット26，26，27，27，27，30a，30b，31a，31bを締付けると、押し輪19，20，21，22とフランジ部４，５，10，11との間に挟着されている止水材15，16，17，18が圧縮されて内周側が膨出して各排水管の外周面に密着し、各排水管は上流口２、下流口３および排水管接続口８，９に液密に接続される。
【００３７】
そして、この集合排水装置本体１の側方の排水管接続口８，９のフランジ部10，11に押し輪21，22を締付ける各２組のボルト28a，28b，29a，29bは隣合う各排水管接続口８，９側に近い方の１組のボルト28a，29aはこの各排水管接続口８，９の上半分位置に配設し、かつ、この排水管接続口８，９の中心を通る垂直線より０°から９０°より少ない角度、好ましくは３０°乃至６０°に傾斜した排水管接続口８，９の中心を通る直線上位置に形成されているので、このボルト28a，28b，29a，29bにナット30a，30b，31a，31bを締め付け螺合するレンチ操作が容易にできる。
【００３８】
すなわち、図１２に基いて説明すると、従来の排水管接続口８，９の中心を通る水平線Ｉ−Ｉ上にボルト28c，28d，29c，29dが位置しているときの排水管接続口８，９の隣合うボルト28c，29c間の距離Ｌ１に比して、排水管接続口８，９の中心を通る垂直線ＩＩ−ＩＩ上に位置している排水管接続口８，９の隣合うボルト28a，29a間の距離Ｌ２が大幅に拡がり、垂直線ＩＩ−ＩＩ上のボルト28a，29aにナット30a，31aをレンチで締付けるとき、水平線Ｉ−Ｉ上に位置するボルト28c，29cにナットを締付ける場合のように、レンチが排水管接続口８，９に接続した排水管が邪魔になることがない。
【００３９】
なお、この垂直線ＩＩ−ＩＩ上のボルト28a，28b，29a，29bを位置させた場合には、集合排水装置本体１の設置面に近いボルト28b，29bから集合排水装置本体１の底面までの距離Ｌ３が短くなり、集合排水装置本体１の設置高さが低い場合には、レンチが集合排水装置本体１の設置面に当たり、操作性が悪い場合が生じることがあるが、排水管接続口８，９の中心を通る垂直線ＩＩ−ＩＩより傾斜させた排水管接続口８，９の中心を通る傾斜直線ＩＩＩ−ＩＩＩ上にボルト28a，28b，29a，29bを位置させることにより、集合排水装置本体１の設置面に近いボルト28b，29bから集合排水装置本体１の底面までの距離Ｌ４が、垂直線ＩＩ−ＩＩ上の集合排水装置本体１の設置面に近いボルト28b，29bと集合排水装置本体１の底面までの距離Ｌ３に比して拡がるので、ボルト28b，29bにナット30b，31bを締付ける操作が容易となる。
【００４０】
そして、排水管接続口８，９の隣合うボルト28a，29a間の距離と排水管接続口８，９の下側に位置するボルト28b，29bと集合排水装置本体１の設置面との間の距離とがナット30a，30b，31a，31bをレンチによる締付け操作が排水管、設置面などにが邪魔になることがない範囲はこの排水管接続口８，９の中心を通る垂直線より０°から９０°より少ない角度、好ましくは３０°乃至６０°に傾斜した排水管接続口８，９の中心を通る直線上位置である。
【００４１】
さらに、排水管接続口８，９の中心を通る垂直線より０°より大きく角度から９０°より少ない角度、好ましくは３０°乃至６０°に傾斜した排水管接続口８，９の中心を通る直線ＩＩＩ−ＩＩＩ上位置のボルト28a，29a間の距離Ｌ５は、排水管接続口８，９の中心を通る垂直線ＩＩ−ＩＩ上のボルト28a，29a間の距離Ｌ２より短くなるが、水平線Ｉ−Ｉ上のボルト28c，29c間の距離Ｌ１より長く、レンチが排水管接続口８，９に接続した排水管に干渉されることがなく容易に操作できる。
【００４２】
また、集合排水装置本体１を挟着した支持板44，45の両端部の取り付け基部46，46を固定する支柱部41に螺合したナット47，47の締付けに際して、上流口２と下流口３のフランジ部４，５に設けられたボルト23，23，25，25，25は上流口２の中心を通る垂直線より３０°乃至６０°偏倚した位置にあり、下流口３の中心を通る垂直線の上部位置とこの位置より１２０°の位置にあるため、支柱部41に螺合したナット47，47を締付け操作するレンチがフランジ部４，５に挿通したボルト23，23，25，25，25と干渉することなく、支柱部41に螺合したナット47，47の締付け操作が容易にできる。
【００４３】
さらに、集合排水装置本体１の掃除口12を閉塞する掃除口蓋13には、この掃除口蓋13の上面より低い位置に固定部33，33が形成され、この固定部33，33を集合排水装置本体１の上面に螺合される掃除口閉塞用締め付け具のねじ部材34，34にて開閉自在に取り付けて掃除口12を閉塞した状態時に、ねじ部材34，34の上面位置は集合排水装置本体１の掃除口12を閉塞した掃除口蓋13の上面と略同一面又は掃除口蓋13の上面位置より低い位置に位置するようにしたため、掃除口蓋13の上面は、集合排水装置本体１の高さを低くできることができ、集合排水装置を配設する床下の高さを低くすることもできる。
【００４４】
次に、他の実施の形態を図６乃至図１１に基づいて説明する。
【００４５】
この実施の形態は、前記図１乃至図５に示す実施の形態の構成において、集合排水装置本体１は支持具40に取り付けることなく、集合排水装置本体１の上流側の底部に一体に設けた支持脚部14と下流口３のフランジ部５の底部に設けた支持脚部14aとにて設置面に設置するので、支柱部41に螺合したナット47，47を締付け操作するレンチがフランジ部４に挿通したボルト23，23と干渉することがないため、フランジ部４と押し輪19に挿通するナット26は上流口２の中心を通る水平線上に配設した構成となっている。
【００４６】
また、前記図１乃至図５に示す実施の形態の構成においては、集合排水装置本体１の掃除口12を閉塞する掃除口蓋13は掃除口12の周縁に嵌合される嵌合縁32にこの掃除口蓋13の上面より低い位置に固定部33，33を形成し、この固定部33，33の上面に、掃除口蓋13を集合排水装置本体１に固定する掃除口閉塞用締め付け具、例えばボルトのようなねじ部材34，34を螺合し、ねじ部材34，34の上面位置は集合排水装置本体１の掃除口12を閉塞した掃除口蓋13の上面と略同一面又は掃除口蓋13の上面位置より低い位置に位置するようにした構成となってるが、この実施の形態の構成は、掃除口蓋13の上面から挿通したねじ部材34，34を掃除口12の開口面の周縁に螺合して掃除口蓋13にて掃除口12を閉塞する構成となっている。
【００４７】
この実施の形態の他の構成および作用は、前記図１乃至図５に示す実施の形態の構成と同一である。
【００４８】
なお、この実施の形態では、集合排水装置本体１の支持脚部14，14aの底部には振動防止用の防止板は設けてはいないが、必要に応じて、図１乃至図５に示す実施の形態の構成のように、集合排水装置本体１の支持脚部14，14aの底部に振動防止用の防止板は設けることもできる。
【００４９】
また、前記各実施の形態では、集合排水装置本体１の上面には軸方向に長い１つの掃除口12がこの集合排水装置本体１の上流口２から下流口３に至る流水路と排水管接続口８，９との連通部に臨ませて開口した構成としたが、この集合排水装置本体１の上流口２から下流口３に至る流水路と排水管接続口８，９との連通部に臨ませてそれぞれ掃除口を開口した構成とし、この構成では、この各掃除口にそれぞれ開閉可能に閉塞する掃除口蓋を設ける。
【図面の簡単な説明】
【００５０】
【図１】本発明の集合排水装置の１実施の形態の正面図である。
【図２】同上集合排水装置の縦断正面図である。
【図３】同上集合排水装置の平面図である。
【図４】同上集合排水装置の左側面図である。
【図５】同上集合排水装置の右側面図である。
【図６】本発明の集合排水装置の他の実施の形態の正面図である。
【図７】同上集合排水装置の縦断正面図である。
【図８】同上集合排水装置の平面図である。
【図９】同上集合排水装置の底面図である。
【図１０】同上集合排水装置の左側面図である。
【図１１】同上集合排水装置の右側面図である。
【図１２】集合排水装置の説明正面図である。
【符号の説明】
【００５１】
１    集合排水装置本体
２    上流口
３    下流口
８，９    排水管接続口
12    掃除口
13    掃除口蓋
17，18    止水材
21，22    押し輪
28a，28b，29a，29b    ボルト
30a，30b，31a，31b    ナット
【図１】
2008038482.tif 000003
【図２】
2008038482.tif 000004
【図３】
2008038482.tif 000005
【図４】
2008038482.tif 000006
【図５】
2008038482.tif 000007
【図６】
2008038482.tif 000008
【図７】
2008038482.tif 000009
【図８】
2008038482.tif 000010
【図９】
2008038482.tif 000011
【図１０】
2008038482.tif 000012
【図１１】
2008038482.tif 000013
【図１２】
2008038482.tif 000014